(57)【特許請求の範囲】
【請求項１】
ハウジング（１）と、
ハウジング（１）に取り付けられた短髪カッタ（１９）と、
ハウジング（１）に枢着された長髪トリマー（７）と、
短髪カッタ（１９）及び長髪トリマー（７）を駆動するための電気駆動機構（５）と、
長髪トリマー（７）を動作位置（Ｐ）に出入りさせるとともに電気駆動機構（５）をスイッチするための単一の制御スイッチ（４）とを備え、
制御スイッチ（４）は、揺動可能に装着されたレバー（２６）と制御ロッド（１２）とにより長髪トリマー（７）に結合されており、
単一の制御スイッチ（４）は、電気駆動機構（５）を作動状態にするための少なくとも１つのＯＮ位置と、電気駆動機構（５）を非作動状態にするための少なくとも２つのＯＦＦ位置とをとるように構成されており、当該２つのＯＦＦ位置のうちの少なくとも１つのＯＦＦ位置において、単一の制御スイッチ（４）により、長髪トリマー（７）がその動作位置（Ｐ）を維持するとともに、長髪トリマー（７）が非作動状態となるようにされていることを特徴とするドライシェービング装置。
【請求項２】
前記少なくとも一つのＯＦＦ位置は制御スイッチ（４）の動きの方向（矢印Ａ、矢印Ｂ）の各端に設けられていることを特徴とする、請求項１記載のドライシェービング装置。
【請求項３】
電気駆動機構（５）は、長髪トリマー（７）が動作位置（Ｐ）を維持している間、制御スイッチ（４）の動作により作動状態又は非作動状態のいずれかの状態となることを特徴とする、請求項１または２記載のドライシェービング装置。
【請求項４】
レバー（２６）はハウジング（１）に枢着されていることを特徴とする、請求項１乃至３のいずれか一つに記載のドライシェービング装置。
【請求項５】
二つの制御カム（２９、３０）がレバー（２６）に設けられていることを特徴とする、請求項４記載のドライシェービング装置。
【請求項６】
制御スイッチ（４）と制御ロッド（１２）は制御カム（２９、３０）の係合のためそれぞれ切抜き（３２、３１）を含むことを特徴とする、請求項５記載のドライシェービング装置。
【請求項７】
制御スイッチ（４）の切抜き（３２）はカム路として構成されていることを特徴とする、請求項６記載のドライシェービング装置。
【請求項８】
カム路は同方向（矢印Ａ、矢印Ｂ）に延びるが互いに変位している関係にある二つの細長い切抜き（３３、３４）と、これらの切抜き（３３、３４）を連結する傾斜切抜き（３５）との組み合わせから成ることを特徴とする、請求項７記載のドライシェービング装置。
【請求項９】
制御ロッド（１２）の切抜き（３１）は、制御ロッド（１２）の動作方向（矢印Ａ、矢印Ｂ）に対して横方向に長手方向に延びることを特徴とする、請求項６記載のドライシェービング装置。
【請求項１０】
制御スイッチ（４）の傾斜切抜き（３５）の作用は制御カム（２９）を基にして、レバー（２６）の枢軸運動を可能にし、切抜き（３１）内に係合する制御カム（２９）が制御ロッド（１２）の直線運動（矢印Ａ、矢印Ｂ）を可能にし、制御ロッド（１２）と長髪トリマー（７）との結合は長髪トリマー（７）の枢軸運動（矢印Ｅ）を可能にすることを特徴とする、請求項８記載のドライシェービング装置。
【請求項１１】
制御ロッド（１２）に対する制御スイッチ（４）の自由運動は、同方向（矢印Ａ、矢印Ｂ）に延びる制御スイッチ（４）内の切抜き（３３、３４）によって可能になることを特徴とする、請求項８記載のドライシェービング装置。
【請求項１２】
長髪トリマー（７）と制御スイッチ（４）は、制御スイッチ（４）のカム路により選択される少なくとも１つのＯＮ位置および少なくとも２つのＯＦＦ位置で、強固かつ可撓性の止め金（３６、３７、３８、３９、４０、４１、４２）によりロックできることを特徴とする、請求項１乃至１１のいずれか一つに記載のドライシェービング装置。
【請求項１３】
固定止め金（３６、３７、３８、３９）はハウジング（１）に設けられ、弾性止め金（４０、４１、４２）は制御ロッドと制御スイッチ（４）に設けられていることを特徴とする、請求項１２記載のドライシェービング装置。
【請求項１４】
固定止め金（３６、３７、３８、３９）はハウジング（１）に一体に成型されたロックピンとして構成されていることを特徴とする、請求項１２または１３記載のドライシェービング装置。
【請求項１５】
弾性止め金（４０、４１、４２）は一体に成型されたカム（４３）を持つ少なくとも一つの可撓アーム（４４）からなることを特徴とする、請求項１２または１３記載のドライシェービング装置。
【請求項１６】
電気駆動機構（５）の回路の導電片（４７、４８）と接触、非接触するよう制御スイッチ（４）に可撓片が配設されていることを特徴とする、請求項１乃至１５のいずれか一つに記載のドライシェービング装置。
【発明の詳細な説明】
【０００１】
【発明の属する技術分野】
本発明は、ハウジングと、少なくとも一つの短髪カッタと枢着長髪トリマーのための電気駆動機構と、枢着長髪トリマーを動作位置に出し入れするよう動かし、電気駆動機構をスイッチするための単一の制御スイッチとを備え、該制御スイッチは枢着されたレバーと制御ロッドにより長髪トリマーに結合されているドライシェービング装置に関する。
【０００２】
【従来の技術】
まず対象とするこの型のドライシェービング装置は、ドイツ特許発明第３９  １２  ０９０号明細書から周知である。ハウジングの前面パネルに摺動可能に装着された制御スイッチにより、短髪カッタはスイッチの第１の位置で作動される。スイッチの他の位置は枢着された長髪トリマーを動作位置に，同様に作動位置にスイング動作をすることを含む。例えばブラシを使用する長髪トリマーの清掃は、ブラシの荒毛または毛が長髪トリマーの振動刃により切り取られるため、この動作位置では不可能である。
【０００３】
短髪カッタと枢着長髪トリマー両方のための電気駆動機構をスイッチするためのスイッチを持っており、第３の位置で制御スイッチは枢着された長髪トリマーを動作位置に、そして同時にそれを作動せしめるドライシェービング装置は，ドイツ特許出願公開第３１  １９  ０１８号明細書から周知である。清掃目的のためドライシェービング装置は、制御スイッチが動作位置でない位置にあることと伴って長髪トリマーを清掃位置にスイングするための追加のスイッチと他の素子を備えている。
【０００４】
【発明が解決しようとする課題】
本発明の目的は、動作位置で長髪トリマーの清掃を可能としてカッタの使用を確実にするようにしてドライシェービング装置の操作を簡単にすることにある。
【０００５】
【課題を解決するための手段】
本発明によれば、この目的は請求項１に記載した特徴によって達成できる。
【０００６】
即ち、本発明によるドライシェービング装置は、ハウジング１と、少なくとも一つの短髪カッタ１９並びに枢着された長髪トリマー７用の電気駆動機構５と、枢着された長髪トリマー７を動作位置Ｐに出入りさせるため並びに電気駆動機構５をスイッチするための単一制御スイッチ４と、揺動可能に装着されたレバー２６と制御ロッド１２により長髪トリマー７に結合された制御スイッチ４とを備えるドライシェービング装置において、動作位置Ｐにて、その動作位置Ｐが維持されている間、長髪トリマーが制御スイッチ４により非作動状態となるようにされている。制御スイッチ４は少なくとも一つのＯＮ位置（位置ＥＩＮ（ＯＮ））と少なくとも二つのＯＦＦ位置（位置ＡＵＳ（ＯＦＦ））を備えている。
【０００７】
本発明の主たる利点は枢着された長髪トリマーを持つドライシェービング装置において、例えば短髪カッタと長髪トリマーのための電気駆動機構の作動および非作動化、枢着長髪トリマーの動作位置への出入動作、加えてスイング動作で開放位置にある全部の長髪トリマーの徹底的な清掃作業を可能にするため制御スイッチにより長髪トリマーの少なくともカッタ部分を不作動化すること等の、複数のスイッチ動作をなすための単一の制御スイッチを設けることである。本発明のこの特徴は、シェービング装置のオフ状態のとき、例えばドライシェービング装置またはシェービングヘッドフレームのハウジングパネルの一つにあるような凹部に埋め込まれる長髪トリマーに特に利点がある。
【０００８】
本発明の好ましい実施例においては、位置ＡＵＳ（ＯＦＦ）は制御スイッチの反対方向の動きの両端において設けられる。この特徴は、設定された全ての機能が制御スイッチを動作方向そして反対方向に単に動かすことにより自動的にセットされるので、ユーザのドライシェービング装置の動作を著しく容易にする。
【０００９】
本発明の実施例では電気駆動機構が、長髪トリマーが動作位置ＥＩＮ（ＯＮ）に保持されているとき、制御スイッチの動作により非作動状態にされる。
【００１０】
レバーがハウジングに枢着されていることは好ましいことである。本実施例の他の特徴は、二つの制御カムがレバーに設けられていることである。この実施例の更に他の特徴は、制御スイッチと制御ロッドが制御カムに係合するそれぞれの切抜きを有することである。制御スイッチの切抜きはカム路の形状をしている。本発明の好ましい実施例では、カム路は同じ方向に延びているが互いに変位している二つの細長い切抜きと、これらの切抜きを結合する傾斜切抜きとの組み合わせからなる。制御ロッドの切抜きは制御ロッドの動作方向に対し横方向に長手方向に延びる。３個の切抜きで形成されるカム路は各種の機能を有利に満たす。制御スイッチのカム路に設けられた傾斜切抜きの作用は、制御カムを基にして、レバーの枢軸運動を可能にし、切抜き内に係合する制御カムが制御ロッドの直線運動を可能にし、制御ロッドと長髪トリマーとの結合は長髪トリマーの枢軸運動を可能にする。加えて制御スイッチ内で同じ方向に延び、カム路を設ける二つの切抜きにより、制御ロッドに対する制御スイッチの運動の自由度が確実になる。
【００１１】
本発明の他の特徴は、長髪トリマーと制御スイッチは、制御スイッチのカム路により、固定かつ可撓性の止め金により位置（ＡＵＦ（ＯＦＦ）、ＥＩＮ（ＯＮ）、ＥＩＮ（ＯＮ）、ＡＵＳ（ＯＦＦ））を選択的にロックできる。固定の止め金がハウジングに設けられ、弾性止め金が制御ロッドと制御スイッチに設けられることは好ましいことである。止め金の廉価な製造は、固定止め金をハウジングに一体に形成されたロックピンのように形作ることにより、また弾性止め金が一体に形成されたカムを持つ少なくとも一つの可撓アームに形成されることにより実現できる。制御スイッチによる電気駆動機構の制御のため、可撓片が電気駆動機構の回路の導電片と開閉接触するため制御スイッチに配置される。
【００１２】
【発明の実施の態様】
本発明の実施例を以下の記載並びに添付図面に基づいて説明する。
【００１３】
図１は、シェル形状の第１のハウジング部２とシェル形状の第２のハウジング部３からなるハウジング１と、第１のハウジング部２に設けられた凹部６に出入りできるよう枢着された長髪トリマー７を動作位置Ｐに動かすとともに、ハウジング１内に設けられた電気駆動機構５を作動または非作動状態とするため第１のハウジング部２の前面パネルに摺動自在に装着された制御スイッチ４とを備え、前記動作位置Ｐでは固定櫛８と作動可能に組み合わされた可動刃９が、電気駆動機構５により生じた振動が可動刃９に伝達されるようにするため二股の駆動装置１１に結合されている、ドライシェービング装置を示す。制御スイッチ４は、傾斜面１４、１５を持つカム１３が形成され、長髪トリマーハウジング１６に設けられた細長い切抜き部１８と摺動自在に係合する摺動カム１７により作動されるよう結合される制御ロッド１２により、長髪トリマーハウジング１６に結合されている。
【００１４】
長髪トリマー７に隣接して、短髪カッタ１９のシェービングホイル２１が設けられているシェービングヘッドフレーム２０は、ハウジング１の上端に着脱自在に配設されている。短髪カッタ１９から離れたハウジング１の端部にはプラグピン２３、２４を持つ器具プラグ２２を設ける。
【００１５】
図２は、制御スイッチ４の裏面側を見るときにみられるような、シェル型のハウジング部２の内部を示し、制御ロッド１２と、レバーアーム２７、２８の両端に夫々制御カム２９、３０を有する枢着されたダブルアームレバー２６を受け入れるためハウジング部２に一体に形成された軸受ピン２５が有る。制御カム２９は制御ロッド１２に設けられた細長い切抜き３１と係合し、制御カム３０は制御スイッチ４に設けられカム路に成型された切抜き３２と係合している。
【００１６】
制御スイッチ４の切抜き３２即ちカム路は、同じ方向に延びかつ矢印Ａの方向に互いに変位している関係にある二つの細長い切抜き３３、３４と、切抜き３３、３４を連結する傾斜切抜き３５との組み合わせから成る。
【００１７】
ハウジング部２の内部には、制御ロッド１２と制御スイッチ４に設けられた止め金４０、４１、４２と共働する複数の止め金３６、３７、３８、３９が設けられている。止め金３６、３７、３８、３９は例えばハウジング部２に一体に形成されたロックピンから成り、一方止め金４０、４１、４２はカム４３が設けられた可撓アーム４４である。制御スイッチ４に電気導電材料から成る可撓片４５が固着されている。可撓片４５は電気回路の開閉の機能を果たす（図２ａ参照）。この目的のために二つの導電片４７、４８が素子４６に設けられている。例えば導電片４８は例えばバッテリまたは再充電可能なアキュムレータのような電源４９の端子に接続され、一方他の導電片４７は電動機５０に、そして他の導体を介して電源４９の他の端子に接続されている。図２（ａ），（ｂ）において、制御スイッチ４は第１の位置ＡＵＳ（ＯＦＦ）におかれている。結局電気駆動機構５は開放し、即ち可撓アーム４５は導電片４８のみに接合している。制御ロッド１２に設けられた可撓片４４はそのカム４３で止め金３６を抱き込むので、制御ロッド１２は制御スイッチ４の位置ＡＵＳ（ＯＦＦ）にロックされる。制御スイッチ４それ自体は、それに一体に形成された可撓アーム４４とカム４３により等しく第１の位置ＡＵＳ（ＯＦＦ）に止め金３９でロックされる。閉鎖位置では、枢着された長髪トリマー７はハウジング１の前面パネルに形成された穴６の外壁６０に対して横たわっている。レバー２６の制御カム２９は矢印Ｃの方向に位置付けされた細長い切抜き３１の端部にある。ＡＵＳ（ＯＦＦ）位置において、レバー２６の制御カム３０はカム路を形成する切抜き３４の端部にあり、その端部は矢印Ａの方向に位置決めされている。
【００１８】
図３（ａ），（ｂ）、図４（ａ），（ｂ）、図５（ａ），（ｂ）は制御スイッチ４，制御ロッド１２と枢着された長髪トリマー７の位置を示しており、これらについては例示に基づいて以下詳細に説明する。制御スイッチ４を第２の位置ＥＩＮ（ＯＮ）にシフトすることによって、可撓片４５は二つの導電片４７、４８と接触し、電気回路が閉路し、電気駆動機構の電動機５０が駆動し（図３），この動きを図示しない駆動装置を介して長髪トリマー７の内部カッタと短髪カッタ１９に伝達する。制御スイッチ４の第２の位置ＥＩＮ（ＯＮ）は、制御スイッチ４に一体に形成された可撓アーム４４に設けられているカム４３とともにその可撓アーム４４により位置決めされており、制御スイッチ４の第２の位置ＥＩＮ（ＯＮ）へのシフト動作の結果として、上記可撓アーム４４は二つの強固な止め金３８と３９とに接合し、矢印ＡとＢの方向へ不注意な変位に対して該止め金により固着される。制御スイッチ４の矢印Ａ方向へのシフト動作の結果として、制御カム３０は矢印Ｂの方向に位置決めされている、細長い切抜き３４の端部に位置され、直角ダブルアームレバー２６のレバー運動が生ずることなく制御スイッチ４の自由運動が達成される。したがって図３の（ａ），（ｂ）において、制御ロッド１２とまた枢着された長髪トリマー７は図２の（ａ），（ｂ）に示した位置と変わらなく、枢着された長髪トリマー７は動作位置Ｐに移動してないので使用できない。この位置においては、単に短髪カッタ１９のみが使用可能である。
【００１９】
制御スイッチ４を第３の位置ＥＩＮ（ＯＮ）にシフト動作すると（図４（ａ），（ｂ）参照）、電気導体可撓片４５は導電片４７と４８に沿って摺動し電動機５０の回路を閉路した状態を保ち、長髪トリマー７として設けられたカッタが作動され、そして短髪カッタ１９が動作する。制御スイッチ４のこの矢印Ａ方向のシフト動作が進められた時、制御スイッチ４の可撓アーム４４のカム４３は止め金３９を越えて摺動するが、制御スイッチ４の可撓アーム４４のカム４３と止め金３７との係合に基づきなお止め金との接合を維持する。第３の位置ＥＩＮ（ＯＮ）は、可撓止め金４１と４２との当接係合の組み合わさりにより固定止め金３７と３９により位置決めされる。
【００２０】
制御スイッチ４の矢印Ａ方向のシフト動作の工程中（図４参照），カム路を形成する傾斜した切抜き３５は、傾斜切抜き３５と矢印Ｂの方向に垂直に延びる細長い切抜き３３との間の転移面に制御カム３０が到達するまで、レバー２６が軸受ピン２５の回りに矢印Ｅの方向にスイング動作をするようにダブルアームレバー２６に設けられた制御カム３０を作動させる。レバー２６のレバーアーム２７の矢印Ｅ方向のこのスイング動作の結果、レバー２６のレバーアーム２８は矢印Ｅ方向に同様にスイング動作を成す。これによりレバーアーム２８に設けられている制御カム２９は、矢印ＣまたはＤの方向に水平に延びる細長い切抜き３１を介して制御ロッド１２を作動し、矢印Ａの方向に制御ロッド１２の垂直変位を与える、制御ロッド１２のこの垂直動作中、可撓アーム４４に設けられた制御ロッド１２の止め金４０のカム４３は、カム４３とこの特殊の止め金３６との係合位置を放棄する事なく止め金３６を越えて摺動する。摺動カム１７を介して細長い切抜き１８内で長髪トリマーハウジング１６に結合された制御ロッド１２は、枢軸５１の回りの長髪トリマーハウジング１６のスイング動作を与え、長髪トリマー７を例えば図４の（ａ）に示したように長髪のトリミングに適する動作位置Ｐに持って来る。
【００２１】
カム路を形成する矢印ＡまたはＢの方向に垂直に伸びる細長い切抜き３３は、矢印Ａの方向に引き続く制御スイッチ４の更なる変位によって、制御ロッド１２に対して制御スイッチ４の動作の自由度を確実にする（図５参照）。その結果、ダブルアームレバー２６と制御ロッド１２は第３の位置ＥＩＮ（ＯＮ）からＡＵＳ（ＯＦＦ）と見なされる引き続く位置への変位に関し、矢印ＡとＥの方向に更なる移動は与えない。レバー２６、制御ロッド１２の位置、そして図４に示す長髪トリマー７の位置は、この様にして変わらない状態に保持される。制御スイッチ４は、長髪トリマー７が動作位置Ｐを占めストップ５３に対して休止することにより、可撓止め金４２のカム４３が止め金３７と係合することにより、更に可撓止め金４０のカム４３が固定止め金３６と係合することにより、この第３の位置ＡＵＳ（ＯＦＦ）に保持される。長髪トリマー７の動作位置Ｐの変化を含むこと無く、制御スイッチ４のカム路を形成する細長い切抜き３３内で制御カム３０の自由動作により達成できるこの第４の位置ＡＵＳ（ＯＦＦ）において、導電可撓片４５は導電片４７のみに係合するので、電源４９と電気駆動機構５の駆動電動機５０間の電気回路は遮断され、短髪カッタ１９と長髪トリマー７共に不作動状態とされる。この第４の位置ＡＵＳ（ＯＦＦ）においては、動作位置Ｐを占めているが駆動されない長髪トリマー７、そしてハウジング１の対応部分特に凹部６を清掃することができる。清掃動作完了時、制御スイッチ４は第４の位置ＡＵＳ（ＯＦＦ）から第１の位置ＡＵＳ（ＯＦＦ）へ矢印Ｂ方向に移動せしめ、二つの位置ＥＩＮ（ＯＮ）をオバーライドし、この様にして前述の動作シーケンスが逆転される。動作位置Ｐにあるとき、開放スイングしている長髪トリマー７は、制御ロッド１２のカム１７が矢印Ｅとは逆方向に摺動することによりハウジング１の凹部６にスイングバックし、このスイング動作はハウジングのエッジ５２と共働する制御ロッド１２に設けられた傾斜面により確実にされる。第１の位置ＡＵＳ（ＯＦＦ）に到達したとき、制御スイッチ４、枢着長髪トリマー７、レバー２６と可撓片４５は図２（ａ），（ｂ）に示した位置を占める。ドライシェービング装置は再び不作動位置に置かれる。
【００２２】
【発明の効果】
本発明によれば、単一の制御スイッチの操作により、短髪カッタと長髪トリマーのための電気駆動装置の作動および非作動の操作ができ、枢着長髪トリマーを筐体パネルの凹部から出し入れし動作位置へ持ち来すことができ、スイング動作で解放位置にある長髪トリマーをそのカッタ部分を不活性化することにより全部の長髪トリマーを徹底的に清掃できる利点がある。従来のように追加のスイッチとか他の素子は不要である。
【図面の簡単な説明】
【図１】動作位置に揺動された、制御ロッドにより制御スイッチに結合された長髪トリマーを有するドライシェービング装置の斜視図。
【図２】（ａ），（ｂ）は長髪トリマーの制御スイッチと制御ロッドを備えるシェル型ハウジング部を持つドライシェービング装置の制御スイッチの裏面側を示す図及びその断面図。
【図３】（ａ），（ｂ）は第１の位置ＥＩＮ（ＯＮ）にある制御スイッチを示す図２のドライシェービング装置の図、及びその断面図。
【図４】（ａ），（ｂ）は他の位置ＥＩＮ（ＯＮ）にある制御スイッチを示す図２のドライシェービング装置の図、及びその断面図。である。
【図５】（ａ），（ｂ）は第２の位置ＡＵＳ（ＯＦＦ）にある制御スイッチを示す図２のドライシェービング装置の図、及びその断面図。
【符号の説明】
１  ハウジング
４  制御スイッチ
５  電気駆動機構
７  長髪トリマー
１２  制御ロッド
１９  短髪カッタ
２６  レバー
２９  制御カム
３３、３４  切抜き
３５  傾斜切抜き
３６、３７、３８、３９、４０、４１、４２  止め金
４３  カム
４４  可撓アーム
４７、４８  導電片
【図１】
0003745009.tif 000002
【図２】
0003745009.tif 000003
【図３】
0003745009.tif 000004
【図４】
0003745009.tif 000005
【図５】
0003745009.tif 000006